(57)【特許請求の範囲】
【請求項１】
指示対象機器へ指示を行うための予約情報をインターネットを介してサーバから取得するための第１の通信手段と、
前記予約情報を一時的に蓄積する記憶手段と、
比較的近距離に位置する指示対象機器と通信を行うための第２の通信手段と、
前記第２の通信手段が前記指示対象機器との間で通信可能な状態となったときに、前記予約情報に対応した指示内容を前記指示対象機器へ転送する制御手段と、
前記指示内容に基づいて取得されたコンテンツを前記指示対象機器から受信する受信手段と
を備えた携帯型情報機器。
【請求項２】
前記指示対象機器は録画機器であり、前記予約情報は番組録画の予約情報である
請求項１記載の携帯型情報機器。
【請求項３】
前記指示対象機器は前記インターネットに接続された情報処理装置であり、前記予約情報は前記インターネットを介したコンテンツのダウンロードの予約情報である
請求項１記載の携帯型情報機器。
【請求項４】
前記受信手段は、前記指示内容に基づいてダウンロードされた前記コンテンツを前記指示対象機器から受信する
請求項３記載の携帯型情報機器。
【請求項５】
前記制御手段は、前記予約情報の予約のオンデマンド性を判断し、オンデマンド性があると判断した場合には、前記第１の通信手段により前記指示対象機器に対して前記インターネットを介して前記指示内容を送信する
請求項１記載の携帯型情報機器。
【請求項６】
現在日時情報を出力する時計手段をさらに備え、前記制御手段は、前記オンデマンド性の有無の判断を、現在時刻から予約実行開始時刻までの時間に基づいて行う
請求項５記載の携帯型情報機器。
【請求項７】
現在日時情報を出力する時計手段と、
ユーザのスケジュール情報を保存する手段と
をさらに備え、
前記制御手段は、前記オンデマンド性の有無の判断を、前記現在日時情報およびスケジュール情報に基づいて行う
請求項５記載の携帯型情報機器。
【請求項８】
携帯型情報機器において、指示対象機器への指示の予約制御を行う予約制御方法であって、
前記指示対象機器の指示を予約するための予約情報をインターネットを介してサーバから取得するステップと、
前記予約情報を一時的に蓄積するステップと、
前記指示対象機器が前記携帯型情報機器から近距離通信可能な状態になったかを監視するステップと、
前記近距離通信可能な状態になったとき、近距離通信により、前記予約情報に対応した指示内容を前記指示対象機器へ転送するステップと、
前記指示内容に基づいて取得されたコンテンツを前記指示対象機器から受信するステップと
を備えた予約制御方法。
【請求項９】
携帯型情報機器において、指示対象機器への指示の予約制御を行う予約制御プログラムであって、
前記指示対象機器の指示を予約するための予約情報をインターネットを介してサーバから取得するステップと、
前記予約情報を一時的に蓄積するステップと、
前記指示対象機器が前記携帯型情報機器から近距離通信可能な状態になったかを監視するステップと、
前記近距離通信可能な状態になったとき、近距離通信により、前記予約情報に対応した指示内容を前記指示対象機器へ転送するステップと、
前記指示内容に基づいて取得されたコンテンツを前記指示対象機器から受信するステップと
を実行する予約制御プログラム。
【請求項１０】
携帯型情報機器において、指示対象機器への指示の予約制御を行う予約制御プログラムを格納したプログラム格納媒体であって、
前記指示対象機器の指示を予約するための予約情報をインターネットを介してサーバから取得するステップと、
前記予約情報を一時的に蓄積するステップと、
前記指示対象機器が前記携帯型情報機器から近距離通信可能な状態になったかを監視するステップと、
前記近距離通信可能な状態になったとき、近距離通信により、前記予約情報に対応した指示内容を前記指示対象機器へ転送するステップと、
前記指示内容に基づいて取得されたコンテンツを前記指示対象機器から受信するステップと
を実行する予約制御プログラムを格納したプログラム格納媒体。
【発明の詳細な説明】
【０００１】
【発明の属する技術分野】
本発明は、ＰＤＡ（Personal Digital Assistant）や携帯電話（mobile-phone）などの携帯型情報機器から、番組録画予約や、コンテンツのダウンロード等の予約制御を行う携帯型情報機器、予約制御方法、予約制御プログラム、および予約制御プログラム格納媒体に関するものである。
【０００２】
【従来の技術】
近年、ＰＤＡや携帯電話などの携帯型情報機器（モバイル機器）により、インターネット経由等で電子番組表（ＥＰＧ）などを見られるようになってきている。この際、図１に示すように、通常は単に番組情報を確認するのみとなっており、録画機器との連携は取れていないのが現状である。
【０００３】
また、図２に示すような録画機能を持ったパーソナルコンピュータ（ＰＣ）のようにインターネット経由で電子番組表を見て、そこからＰＣ自身が持っている録画システムを利用して、予約録画等を行うものがある。しかし、このシステムもＰＤＡやモバイル機器との連携が取れたものではない。
【０００４】
ＶＣＲ(Video Cassette Recorder)やＤＶＤ(Digital Versatile Disc)レコーダ等の独立した録画機器についても、一部の機器で、地上波のＶＢＩ(Vertical Blanking Interval)やＢＳ(Broadcast Satellite)，ＣＳ(Communication Satellite)のデータの空き部分を利用した電子番組表と連動して予約録画をするものがある。これらの機器に対する外からの予約録画の指示の方法としては、外部から電話のトーン信号（ＤＴＭＦ信号）を用いて、録画機器のモデムに対して、コントロールを行うものもある。しかし、これは電子番組表等と連動したものではない。
【０００５】
【発明が解決しようとする課題】
さらに、これらを組み合わせてＰＤＡなどのモバイル機器から、携帯電話経由で、対象となる機器に対して、直接、オンデマンドに指示を与えるという方法がある。しかし、場所によって通信が不能になったり、通信費の問題がある。例えば、電車の中やトンネルの中など、通信禁止または通信不能の所から、所望の指示をオンデマンドで与えることは出来ない。
【０００６】
また、図３（ａ）に示すＰＤＡの様に携帯電話との組み合わせによりオンデマンドで、動画コンテンツ、音楽コンテンツや電子ブック、アプリケーションサービスプロバイダ（ＡＳＰ）が提供するダウンロード型のコンテンツのダウンロードを行う際も、同様に、通信の状況によって所期の目的が達成できない場合が生じうるし、機器間の連携はしていないのが通常である。図３（ｂ）に示すようなＰＤＡ機能をも兼備した高機能の携帯電話についても同様である。さらには、図３（ｃ）に示すシリコンオーディオ装置（またはソリッドオーディオ装置）についても、この装置から携帯電話等を経由して、音楽コンテンツなどのオンデマンド型のダウンロードを行う際にも、同様の問題がある。また、現状、モバイル機器の通信速度や記憶データ容量などの制約上、ダウンロードを自宅にある非携帯型の機器において行いたい場合もある。
【０００７】
そこで、本発明は、ユーザが外出先で指示内容だけを携帯型情報機器内に蓄積して帰宅後など指示対象機器と直接通信できる様になった後に、指示内容を転送することができる携帯型情報機器、予約制御方法、予約制御プログラム、および予約制御プログラム格納媒体を提供することを目的とする。
【０００８】
【課題を解決するための手段】
上記目的を達成するために、本発明による携帯型情報機器は、指示対象機器へ指示を行うための予約情報をインターネットを介してサーバから取得するための第１の通信手段と、前記予約情報を一時的に蓄積する記憶手段と、比較的近距離に位置する指示対象機器と通信を行うための第２の通信手段と、前記第２の通信手段が前記指示対象機器との間で通信可能な状態となったときに、前記予約情報に対応した指示内容を前記指示対象機器へ転送する制御手段と、前記指示内容に基づいて取得されたコンテンツを前記指示対象機器から受信する受信手段とを備えたことを特徴とする。
【０００９】
前記予約情報は携帯型情報機器のユーザが外出先などで外部から、例えば第１の通信手段により接続されたネットワークから取得することができる。前記指示対象機器が録画機器である場合には、前記予約情報は番組録画の予約情報でありうる。また、前記指示対象機器がネットワークに接続された情報処理装置である場合に、前記予約情報は前記ネットワークを介したコンテンツのダウンロードの予約情報でありうる。前記指示対象機器は通常、ユーザの自宅等にある非携帯型の機器であり、ユーザの帰宅時などに前記第２の通信手段が前記指示対象機器との間で通信可能な状態となったときに、当該予約情報に対応した指示内容が指示対象機器へ転送されることにより、当該予約の制御が実行される。この予約の制御は、例えば番組録画の予約であれば、その予約が指示対象機器において受け継がれる。また、コンテンツのダウンロードであれば、指示対象機器において当該指示内容にしたがってダウンロードが実行される。
【００１０】
前記制御手段は、前記予約情報の予約のオンデマンド性を判断し、オンデマンド性があると判断した場合には、前記第１の通信手段により前記指示対象機器に対して前記指示内容を送信するようにしてもよい。本発明では、原則的には、外出先等においては単に予約情報を携帯型情報機器内に蓄積し、指示対象機器への指示は事後的に第２の通信手段で行うことを想定しているが、予約内容によっては、外出先からでも、前記第１の通信手段により指示対象機器へ指示を行うことができる。
【００１１】
本発明による予約制御方法および予約制御プログラムは、携帯型情報機器において、指示対象機器への指示の予約制御を行う予約制御方法であって、前記指示対象機器の指示を予約するための予約情報をインターネットを介してサーバから取得するステップと、前記予約情報を一時的に蓄積するステップと、前記指示対象機器が前記携帯型情報機器から近距離通信可能な状態になったかを監視するステップと、前記近距離通信可能な状態になったとき、近距離通信により、前記予約情報に対応した指示内容を前記指示対象機器へ転送するステップと、前記指示内容に基づいて取得されたコンテンツを前記指示対象機器から受信するステップとを備えたことを特徴とする。
【００１２】
本発明は、また、このような予約制御プログラムを格納した予約制御プログラム格納媒体として把握することも可能である。このようなコンピュータプログラムを携帯型情報機器内にインストールし、実行可能な状態とするために用いられるプログラム格納媒体としては、例えば、フロッピーディスク、ＣＤ−ＲＯＭ、ＤＶＤなどのパッケージメディアのみならず、プログラムが一時的もしくは永続的に格納される半導体メモリや磁気ディスクなどが挙げられる。
【００１３】
【発明の実施の形態】
以下、本発明の実施の形態について、さらに他の図面を参照して詳細に説明する。
【００１４】
図４に、本発明が適用される種々のシステムの構成例を示す。この図は、本実施の形態における種々の携帯型情報機器と非携帯型情報機器の間の連携の様子を示している。なお、本明細書において、「システム」とは、複数の装置が論理的に集合した物をいい、各構成の装置が同一筐体中にあるか否かは問わない。本発明では、電子番組表やダウンロード対象コンテンツ、放送番組等を、インターネット等のネットワークや放送等を介して受信するための通信や放送のインフラストラクチャ、サーバなどを利用するが、これらは図４において図示省略してある。
【００１５】
図４（ａ）は、携帯型情報機器としてのＰＤＡ２０と、非携帯型情報機器としてのビデオ録画（収録）のためのディスク（ＤＶＤ）レコーダ６１、ＨＤＤ(Hard Disc Drive)レコーダ６２、ビデオカセットレコーダ（ＶＣＲ）６３等との間の組み合わせを示している。機器間の通信インタフェース３１としては、比較的近距離（例えば数ｍから数１０ｍ程度）の近距離通信を行うインタフェースであり、無線であればブルートゥース（Bluetooth）（商標），ＩＥＥＥ８０２．１１系，ＩｒＤＡ(Infrared Data Association)等、有線であればｉ．ＬｌＮＫ（商標），ＵＳＢ(Universal Serial Bus)，シリアル系モデム等が考えられが考えられる。使い勝手の上からは、無線インタフェースが好ましい。この組み合わせにおいて、ユーザは外出先等において、携帯電話等の外部の通信機器（ＰＤＡ２０に通信手段が内蔵されていればその通信手段）を用いてネットワーク上のサーバに接続し、電子番組表を取得しそれに基づいて予約行為を行う。この予約行為により、番組録画予約情報をＰＤＡ２０内に一時蓄積しておく。ユーザは、帰宅後にこのＰＤＡ２０から、その蓄積情報に基づき通信インタフェース３１を介して非携帯型の機器に対する予約指示等の制御を行う。
【００１６】
図４（ｂ）は、携帯型情報機器としてのシリコンオーディオ装置５０と、衛星放送受信機能を有する情報処理装置としてのデジタルテレビ装置６５（またはセットトップボックス（ＳＴＢ））の組み合わせを示している。シリコンオーディオ装置５０は、半導体メモリのような静的な記憶装置を用いた音楽コンテンツ（音楽データ）の録音再生装置であり、機器間の通信インタフェースについては図４（ａ）の場合と同様である。この場合、ユーザは、やはり外出先等において携帯電話等の外部の通信機器（通信手段を内蔵している場合にはその通信手段）を用いてネットワーク上の音楽配信サーバ等に接続し、音楽コンテンツなどのダウンロード対象を特定するための情報を得て、そのダウンロード指示を予約情報として一時的にシリコンオーディオ装置５０内に蓄積する。ユーザは、帰宅後にこのシリコンオーディオ装置５０から、その蓄積情報に基づき通信インタフェース３１を介して、デジタルテレビ装置６５に対してダウンロード指示を行う。勿論、デジタルテレビ装置６５がダウンロードした音楽データは、通信インタフェース３１を介してシリコンオーディオ装置５０に転送し、内部の記憶装置、例えばメモリスティック（ソニー株式会社の商標）などの携帯型メモリ５１に格納することができる。このメモリ５１に格納した音楽データは再生してヘッドホン５２で聴取することができる。
【００１７】
図４（ｃ）は、携帯型情報機器としての前記高機能の携帯電話４０と、ホームゲートウェイ１０としての情報処理装置（ＰＣ）との組み合わせを示している。ホームゲートウェイ１０は、前述した各種のレコーダ６１，６２，６３、デジタルテレビ６５等と接続され、それらとの間の通信およびそれらの制御を行うことができる。
【００１８】
図４に示した携帯型情報機器と非携帯型情報機器との組み合わせは例示であり、さらに別の種々の組み合わせが可能である。例えば、ＰＤＡ２０やシリコンオーディオ装置５０をホームゲートウェイ１０と組み合わせることができる。また、携帯電話４０から通信インタフェース３１を介して各種レコーダ６１，６２，６３を制御することも可能である。
【００１９】
録画予約情報としては、放送番組を特定するための情報として例えば放送チャンネル、放送開始時刻、放送終了時刻、番組名等を用いる。ビデオ録画の対象となる放送番組のコンテンツとしては、地上波放送、衛星放送、ケーブルＴＶ、インターネット放送等から取得することができる。コンテンツのダウンロード予約情報としては、ダウンロード対象の所在（例えばＵＲＬ）およびコンテンツ名等のコンテンツを特定する情報を用いる。このようなダウンロード予約情報は、ＸＭＬ(eXtensible Markup Language)の様なタグベースの仕組みを使ったものなどを利用してサーバ側から携帯情報機器へ転送することにより、ユーザインタフェースの向上を図ることができる。
【００２０】
図５は、本実施の形態において用いられる携帯型情報機器の一例としてのＰＤＡ２０の概略内部構成の一例を示す。ＰＤＡ２０は、本機器全体の制御を司るＣＰＵ１０１に対して、ＲＯＭ１０２、グラフィックコントローラ１０３、タッチパネルコントローラ１０６、ＲＡＭ１０８、通信インタフェース１０９、および近距離通信装置１１０がバス１１１を介して接続されている。ＲＯＭ１０２は、ＣＰＵ１０１が実行する制御プログラムおよび固定的なデータを不揮発的に格納している読み出し専用メモリである。これは、フラッシュＲＯＭのような書き込み可能なメモリであってもよい。ＲＡＭ１０８は、ＣＰＵ１０１によりデータの一時記憶領域、作業領域として利用される一般的に揮発性の読み書き可能なメモリである。グラフィックコントローラ１０３は、ＣＰＵ１０１の制御の下で、外部から得られた表示データをＶＲＡＭ１０５に書き込むとともに、これを読み出して液晶ディスプレイ（ＬＣＤ）等の表示装置１０４上に表示する。タッチパネルコントローラ１０６は、ＣＰＵ１０１の制御下で、タッチパネル１０７の制御を行い、それに対するユーザの操作を検出し、その入力情報をＣＰＵ１０１へ伝達する。タッチパネル１０７の他に、キーボードなどの入力装置を別途備えてもよい。通信インタフェース１０９は、ここでは、番組録画やコンテンツダウンロードのための予約情報を提供するサーバとの通信を行うことができる通信インタフェースであり、例えば、ＰＤＣ(Peronal Digital Cellular)、ＰＩＡＦＳ(PHS Internet Access Forum Standard)、ＷＣＤＭＡ(W-Code Division Multiple Access)、ＣＤＭＡ２０００、ＨＤＲ(High Data Rate)等の通信を行う手段である。ＰＤＡのような携帯型情報機器の場合、通信インタフェース１０９は、外部にある通信機器に一時的に接続してその通信機能を利用するためのインタフェースであってもよい。近距離通信装置１１０は、図４で説明した通信インタフェース３１に対応するものであり、前述したように、無線の場合、ブルートゥース（Bluetooth）（商標），ＩＥＥＥ８０２．１１系，ＩｒＤＡ等、有線の場合、ｉ．ＬｌＮＫ（商標），ＵＳＢ，シリアル系モデム等が考えられる。なお図示しないが、ＣＰＵ１０１には、現在の日時情報を生成する時計機能を有するものとする。
【００２１】
図６は、本実施の形態における指示対象機器としての録画機器２００の概略内部構成の一例を示す。この録画機器２００としては、前述したレコーダ６１，６２，６３等の任意のものでありうる。録画機器２００は、本機器全体の制御を司るＣＰＵ２０１に対して、ＲＯＭ２０２、ＴＶ放送受信回路２０３、ビデオ記録装置２０５、表示装置２０６、ＲＡＭ２０９、通信インタフェース２１０、近距離通信装置２１１、およびＩＤ  ＲＯＭ２１２がバス２２０を介して接続されている。ＲＯＭ２０２は、ＣＰＵ２０１が実行する制御プログラムおよび固定的なデータを不揮発的に格納している読み出し専用メモリであり、前述のように、フラッシュＲＯＭのような書き込み可能なメモリであってもよい。ＲＡＭ２０９は、ＣＰＵ２０１によりデータの一時記憶領域、作業領域として利用される一般的に揮発性の読み書き可能なメモリである。ＴＶ放送受信回路２０３は、アンテナ２０４から地上波や衛星波の放送電波を受信し、復調、復号化、（デジタル圧縮された信号に対しては伸張）等の処理を行い、映像および音声信号の再生を行う。ビデオ記録装置２０５は、再生された映像および音声信号をディスク、ＨＤＤ、磁気テープ等の記録媒体に記録する。表示装置２０６は、ＣＲＴ、ＬＣＤ等のディスプレイである。通信インタフェース２１０は、携帯型情報機器からオンデマンド予約指示を受けるためのものであり、例えばアナログモデム、ケーブルモデム等で構成される。ＩＤ  ＲＯＭ２１２は、本装置２００が何であるかを特定できるような情報を格納したＲＯＭである。
【００２２】
一例として図７に、ＩＤ  ＲＯＭ２１２内のデータ形式を示す。この例では、ＩＤ  ＲＯＭ２１２は、デバイスタイプ２１２ａ、ベンダーＩＤ２１２ｂ、固有ＩＤ２１２ｃ、ソフトウェアのバージョン２１２ｄ、スタンダードデータ２１２ｅ、ベンダー固有データ２１２ｆを格納している。このような情報は、携帯型情報機器からアクセスする際に、アクセスする相手機器によって制御内容が異なる場合に有用であり、また、接続相手を選別および識別するのにも有用である。
【００２３】
図８に、本実施の形態における携帯情報機器による予約制御およびそれに関連した処理のフローチャートを示す。この例では、ＰＤＡのような携帯型情報機器の処理を想定している。
【００２４】
まず、ユーザが携帯型情報機器から、外部の通信機器（通信手段を内蔵している場合にはその通信手段）を用い、インターネット等のネットワークを介して電子番組表を取得し（Ｓ１０）、その内容に基づいて予約指示を受け付ける（Ｓ１１）。この予約情報は、前述したように、例えば録画予約のチャンネル、番組名、開始および終了時刻等からなり、携帯情報機器内でローカルに蓄積される（Ｓ１２）。なお、音楽コンテンツなどのコンテンツのダウンロードの場合には、電子番組表の代わりにダウンロード対象のリスト等が用いられる。
【００２５】
次いで、この指示内容がオンデマンド性を有するものか否かを判断する（Ｓ１３）。この判断の基準および手法としては次のようなものが考えられる。
（１）現在時刻から予約実行開始時刻までの時間に基づくもの。
これは、ユーザが入力した予約実行開始時間を見据えて、指示待ち、すなわち、直ちに指示を行わずに、指示を行う時期が到来するまで待機する場合である。直ちに予約を実行しなければ間に合わない場合には、その指示内容はオンデマンド性を有するものと判断する。
（２）ＰＩＭ(Personal Information Manager)データベース中のユーザのスケジュールとの照合によるもの。
ＰＤＡや携帯電話等の携帯型情報機器のようにユーザのスケジュールが機器内に保存された情報として得られる場合に、その情報を現在日時に照らして判断することにより、予約のオンデマンド性の有無を判断することができる。例えば、スケジュールの内容（場所および時間）に基づいて、当該時間に在宅しているか否かを判断することができる。なお、スケジュール情報は、前述したＲＡＭ１０８（図５）内に保存される。
【００２６】
予約指示内容がオンデマンド性を有する場合には、外部（身辺）に携帯電話など外部通信が可能な機器があるかどうかを判断する（Ｓ１５）。ここでいう外部通信とは、電話網等を通じて指示対象機器へ接続したりホームゲートウェイに接続したりして、指示対象機器へ指示データを送信することである。そのような外部通信が可能な機器は、携帯型情報機器に通信手段が内蔵されている場合にはそれを利用してよい。ついで、その外部通信可能な機器が通信相手との間で通信可能な状態にあるかを調べる（Ｓ１６）。圏外や通信状態に応じて通信不能の場合には通信可能となるまで待機する。但し、複数回試行して通信可能とならない場合等には、本処理を終了するようにしてもよい。その場合には利用者にその旨のメッセージを通知する。通信可能な状態にあれば（なれば）、通信の開始を行う（Ｓ１７）。その後、後述するステップＳ１９へ進む。
【００２７】
前記ステップＳ１３において、指示内容がオンデマンド性を有しないと判断された場合、指示対象機器が周りに現れるまで（換言すれば、利用者が指示対象機器に対する所定の距離範囲内に入るまで）（Ｓ１４）、前記近距離通信装置１１０による通信の可能／不能を監視する（Ｓ１８）。但し、その間に、時間の経過にしたがって指示内容がオンデマンド性を有するものに変わるか否かをステップＳ１３で監視する。指示対象機器が周りに存在し、その機器との間で通信可能な状態になった時点で、携帯型情報機器と録画装置等の指示対象機器との間で、ネットワーク接続を確立する（Ｓ１９）。なお、このステップＳ１９へ、前記ステップＳ１７から移行する場合とステップＳ１８から移行する場合とで、確立されるネットワークの種類が異なることに留意されたい。前者は前記第１の通信インタフェース１０９により電話網等を利用したネットワークであり、後者は近距離通信装置１１０を利用したネットワークである。
【００２８】
その後、指示対象機器に対して指示内容を送信する（Ｓ２０）。この指示内容は、携帯型情報機器に蓄積された予約情報そのものであっても、あるいはそれを加工したものであってもよい。指示内容を転送し終わったら（Ｓ２１，Ｙｅｓ）、指示対象機器からの応答を受信して（Ｓ２２）、ネットワークを切断し（Ｓ２３）、本処理を終了する。
【００２９】
本実施の形態により、ユーザは、通信インフラの状態などを気にしないで、電車の中などの外出先で気が付いたときや、たまたま電子番組表などを閲覧している場合などに、番組の録画予約や、音楽や映像といったコンテンツのダウンロードを予約することが可能となる。この際、緊急の必要性がない限り、オンデマンド型の指示を行わないことにより、前述したような通信キャリア利用上の弊害を避けることができる。また、通信に対する課金を気にする必要性がなくなる。
【００３０】
携帯型情報機器を利用するモバイル環境下での通信速度が十分でない条件では、家庭内にある機器の方が十分な通信速度を有している場合が多いと考えられる。このような場合、例えば、ＢＳ(Broadcasting Satellite)，ＣＳ(Communication Satellite)ディジタル等の放送系のストリーミング（streaming）を利用することが考えられる。また、ｘＤＳＬ(x Digital Subscriber Line)やケーブルモデム、ＦＴＴＨ(Fiber To The Home)などによる、光ファイバーによる高速な転送を利用して、セットトップボックスやデジタルテレビ装置を経由して、指示された予約に従って、ダウンロードを行うことが考えられる。
【００３１】
上記実施の形態では、ＰＤＡや携帯電話を中心に説明したが、インターネットなどのネットワーク上の電子番組表等のデータにアクセスできる多機能学習リモートコントローラとしてのインテリジェントユニバーサルコマンダ（Intelligent Universal Commander）にも本発明は応用できる。このインテリジェントユニバーサルコマンダは、複数の異なるベンダーの指示対象機器に対して共用することができるものである。本明細書では、このような装置を含めた広義の意味で「携帯型情報機器」という用語を使用している。
【００３２】
【発明の効果】
本発明によれば、外出先においても任意所望の時点で指示対象機器の指示制御の予約を行うことができるのみならず、帰宅後などにその予約情報を用いて指示対象機器を連携して予約制御することが可能となる。極力、指示対象機器への指示を予約時に直ちに実行しないようにすることにより、通信網を利用した指示対象機器への指示のために通信状態や課金について気にする必要がなくなる。
【００３３】
また、その予約情報は、外部から取得した電子番組表やダウンロード対象リスト等に基づいて作成され、かつ、その後に指示対象機器に対して当該予約情報を利用して指示制御を行うことができるので、利用者は予約情報自体を記憶する必要なく正確な予約制御を行うことができる。
【図面の簡単な説明】
【図１】ＰＤＡの表示画面上に電子番組表を表示した状態を示す図である。
【図２】録画機能を持ったパーソナルコンピュータ（ＰＣ）の表示画面上に電子番組表を表示した状態を示す図である。
【図３】携帯型情報機器の通信機能を説明するための図（ａ）（ｂ）（ｃ）である。
【図４】本発明の実施の形態における種々の携帯型情報機器と非携帯型情報機器の間の連携の様子を示す図（ａ）（ｂ）（ｃ）である。
【図５】本発明による実施の形態において用いられる携帯型情報機器の一例としてのＰＤＡの概略内部構成の一例を示すブロック図である。
【図６】本発明による実施の形態において用いられる携帯型情報機器の一例としてのＰＤＡの概略内部構成の一例を示すブロック図である。
【図７】図６に示したＩＤ  ＲＯＭ内のデータ形式の一例を示す図である。
【図８】本発明による実施の形態における携帯情報機器による予約およびそれに関連した処理のフローチャートである。
【符号の説明】
１０…ホームゲートウェイ、２０…ＰＤＡ、３１…通信インタフェース、４０…携帯電話、５０…シリコン（ソリッド）オーディオ装置、６１…ディスクレコーダ、６２…ＨＤＤレコーダ、６３…ＶＣＲ、６５…デジタルテレビ装置（ＤＴＶ）
【図１】
0004691811.tif 000002
【図２】
0004691811.tif 000003
【図３】
0004691811.tif 000004
【図４】
0004691811.tif 000005
【図５】
0004691811.tif 000006
【図６】
0004691811.tif 000007
【図７】
0004691811.tif 000008
【図８】
0004691811.tif 000009